(57)【要約】【課題】商品棚に陳列された商品に埃が付着しにくくする。【解決手段】側壁部２１、２２に支えられた棚板３２等上に商品５２等を陳列可能な商品棚１において、棚板３２等上の商品陳列部位の方向に気流を吹き出す空気吹出口と、この空気吹出口に気流を送る送風機４１を備えること。さらに、前記空気吹出口から吹き出され棚板３２等上の商品陳列部位を越えた気流を吸入する空気吸入口を備え、送風機４１が前記空気吸入口から吸入した空気を前記空気吹出口から吹き出すこと。さらに、前記空気吹出口および空気吸入口が側壁部２１、２２に設けられ、前記空気吹出口、送風機４１および前記空気吸入口を順次接続するダクトが形成されていること。【選択図】        図３
2005021343.tif 000002
【特許請求の範囲】
【請求項１】
支持部に支えられた棚板上に商品を陳列可能な商品棚において、
前記棚板上の商品陳列部位に向けて気流を吹き出す空気吹出口と、
前記空気吹出口に気流を送る送風手段を備えることを特徴とする商品棚。
【請求項２】
請求項１に記載された商品棚において、
前記空気吹出口から吹き出され前記棚板上の商品陳列部位を越えた気流を吸入する空気吸入口を備え、
前記送風手段が前記空気吸入口から吸入した空気を前記空気吹出口から吹き出すこと特徴とする商品棚。
【請求項３】
請求項２に記載された商品棚において、
前記空気吹出口および空気吸入口が前記支持部に設けられ、
前記空気吹出口、送風手段および空気吸入口を順次接続するダクトが前記支持部内に形成されていることを特徴とする商品棚。
【請求項４】
請求項２に記載された商品棚において、
前記空気吹出口および空気吸入口が前記棚板上に位置する天板の下側近傍もしくは前記棚板の下側近傍に形成されていることを特徴とする商品棚。
【請求項５】
請求項２に記載された商品棚であって、
前記空気吸入口から吸入された気流を脱臭する脱臭手段が設けられていることを特徴とする商品棚。
【請求項６】
請求項２に記載された商品棚であって、
前記空気吸入口から吸入された気流の除塵をする除塵手段が設けられていることを特徴とする商品棚。
【請求項７】
請求項１または２に記載された商品棚であって、
前記空気吹出口から吹き出される気流にマイナスイオンを付加するマイナスイオン発生手段が設けられていることを特徴とする商品棚。
【発明の詳細な説明】
【０００１】
【発明の属する技術分野】
本発明は、店舗等の商品棚に関し、特に陳列された商品に埃がつかないようにする商品棚に関するものである。
【０００２】
【従来の技術】
従来、店舗などでは、商品を陳列する商品棚が使用されている。この商品棚は通常複数段の棚板およびこの棚板を支える支柱を備えたものである。そして、客は前記棚板上に陳列された商品を取出すことができる。（非特許文献１参照）
【０００３】
【非特許文献１】
深山葛明著「開店開業のためのデザインプランーはやる店舗づくりのためにー」、株式会社グラフィック社、１９９８年６月２５日発行、１３４頁
【０００４】
【発明が解決しようとする課題】
しかし、上記従来例では、商品棚の棚板および棚板上に陳列された商品に埃がたまるので、この埃を毎日取り除くことが必要となり、そのための清掃作業が大変であった。また、商品が繊維物等の埃が溜まりやすい物である場合において、客等がこの商品を商品棚から取出すときに発生する埃により商品棚の棚板が汚れるという問題があった。
そこで、本発明が解決しようとする課題は、商品棚の棚板およびこの棚板上に陳列された商品に埃が付着しにくいようにすることである。
【０００５】
【課題を解決するための手段】
上記課題を解決するため、請求項１記載の発明は、支持部に支えられた棚板上に商品を陳列可能な商品棚において、前記棚板上の商品陳列部位に向けて気流を吹き出す空気吹出口と、前記空気吹出口に気流を送る送風手段を備えることを特徴とする商品棚である。
これにより、送風手段から送られ空気吹出口から吹き出た気流が棚板上に陳列される商品の方向に吹出されるので、この商品および棚板に埃が付着しにくくなる。
【０００６】
さらに、請求項２記載の発明は、請求項１に記載された発明において、前記空気吹出口から吹き出され前記棚板上の商品陳列部位を越えた気流を吸入する空気吸入口を備え、前記送風手段が前記空気吸入口から吸入した空気を前記空気吹出口から吹き出すことである。
これにより、前記空気吹出口から吹き出され前記棚板上の商品陳列部位を越えて空気吸入口に吸入された気流を前記送風手段が前記空気吹出口から吹き出すので、効率的に前記棚板上に陳列された商品に気流を吹き付けることができる。
【０００７】
さらに、請求項３記載の発明は、請求項２に記載された発明において、前記空気吹出口および空気吸入口が前記支持部に設けられ、前記空気吹出口、送風手段および空気吸入口を順次接続するダクトが前記支持部内に形成されていることである。
これにより、前記空気吹出口、送風手段、空気吸入口およびダクトをすべて支持部内に設けることができる。
【０００８】
さらに、請求項４記載の発明は、請求項２に記載された発明において、前記空気吹出口および空気吸入口が前記棚板上に位置する天板の下側近傍もしくは前記棚板の下側近傍に形成されていることである。
これにより、前記空気吹出口から吹出されて空気吸入口に達する気流がコアンダ効果（気流等の噴流を面に沿って吹き付けると、噴流はかなりの範囲にわたって前記面に沿って流れる効果）により前記天板もしくは棚板に沿って流れるので、効率よく気流を棚板上に陳列された商品の方に流すことができる。
【０００９】
さらに、請求項５記載の発明は、請求項２に記載された発明において、前記空気吸入口から吸入された気流を脱臭する脱臭手段（例えば脱臭用のフィルタ）が設けられていることである。
これにより、前記棚板上に陳列された商品の匂い等の臭気を含んだ気流を前記空気吸入口から吸入し脱臭して再度空気吹出口から吹出すので、前記商品が臭気を発する場合においてもこの臭気が拡散しないようにすることができる。
【００１０】
さらに、請求項６記載の発明は、請求項２に記載された発明において、前記空気吸入口から吸入された気流の除塵をする除塵手段（例えば除塵用のフィルタ）が設けられていることである。
これにより、商品棚の棚板上に陳列された商品から剥離した塵埃や前記商品棚が配置されている店舗内の塵埃を含んだ気流を前記空気吸入口から吸入し除塵して再度空気吹出口から吹出すので、商品棚が配置されている店舗内の塵埃を少なくすることができる。
【００１１】
さらに、請求項７記載の発明は、請求項１または２に記載された発明において、前記空気吹出口から吹き出される気流にマイナスイオンを付加するマイナスイオン発生手段が設けられていることである。
これにより、マイナスイオンを含んだ気流が空気吹出口から吹出されるので、このマイナスイオンが商品棚の付近にいる店員や客の血行等をよくすることができる。
【００１２】
【発明の実施の形態】
以下、本発明における実施の形態を図面に基づいて説明する。図１は、本発明の実施の形態に係る商品棚を示し、図２は図１の商品棚の平面を示し、図３は図１の商品棚の正面を示す。さらに、図４は図３のＩＶ−ＩＶ断面を示し、図５は図２のＶ−Ｖ断面を拡大して示し、図６は図２のＶＩ−ＶＩ断面を拡大して示す。
【００１３】
図１に示すように、商品棚１は、台部１０、台部１０に支えられた第１側壁部２１および第２側壁部２２（なお、台部１０、第１側壁部２１および第２側壁部２２は、特許請求の範囲における「支持部」に相当する。）、並びにこれらの側壁部２１、２２間にこの側壁部２１、２２にほぼ水平に支えられた商品陳列用の複数段の棚板３１、３２、３３を主体に備えている。
【００１４】
図３に示すように、台部１０はストッパ付きキャスタ１１で移動自在に支えられている。
台部１０の図示右端部には、第１側壁部２１の下端部が取り付けられ、台部１０の図示左端部には、第２側壁部２２の下端部が取り付けられている。そして、第１側壁部２１の内面２１ａと第２側壁部２２の内面２２ａとの間には上下に複数段の横桟２７、２８（図５、図６参照）が差し渡されるように取り付けられている。２段目以上の複数段の棚板３２、３３がこの複数段の横桟２７、２８上にゴム製円形板状の滑り止め部材２９を介して配設されている。なお、最下段の棚板３１は、台部１０の上面に取り付けられている。そして、天板３４（図２参照）が、最上段の棚板３３の上に位置し、最上段の横桟２７、２８上に滑り止め部材２９を介して配設されている。なお、例えば、棚板３１はスチール製であり、棚板３２、３３および天板３４は透明なガラス製である。
【００１５】
台部１０の内部には、特許請求の範囲における「送風手段」に相当する送風機４１、送風機４１の吹出し側に脱臭および除塵用の第１フィルタ４２、送風機４１の吸入側に脱臭および除塵用の第２フィルタ４３（なお、第１フィルタ４２および第２フィルタ４３は特許請求の範囲における「脱臭手段」および「除塵手段」に相当する。）がそれぞれ配設されている。
第１側壁部２１の内部には第１ダクト２３（図４参照）が、第２側壁部２２の内部には第２ダクト２４（図４参照）がそれぞれ上下方向に形成されている。
そして、第２ダクト２４の下端部、第２フィルタ４３、送風機４１の吸入口、送風機４１の吹出し口、第１フィルタ４２および第１ダクト２３の下端部が順次図示しないダクトにより接続されている。
さらに、第１フィルタ４２を通過して前記図示しないダクト内を流れる気流にマイナスイオンを与えるマイナスイオン発生手段４４が台部１０の内部に配置されている。
【００１６】
さらに、図５に示すように、棚板３３および天板３４の下側近傍の第１側壁部２１の内面２１ａに、第１ダクト２３（図４参照）の２つの横長の開口部を一列に並べて構成した空気吹出口２５が形成されている。なお、棚板３２の下側近傍にも同様に空気吹出口が形成されている。
また、図６に示すように、棚板３３および天板３４の下側近傍の第２側壁部２２の内面２２ａにおいて空気吹出口２５（図５参照）に対向する位置に、第２ダクト２４（図４参照）の横長の開口部を縦横に並べて構成した空気吸入口２６が形成されている。なお、棚板３２の下側近傍にも同様に空気吸入口が形成されている。
さらに、図３に示すように、台部１０内の前記ダクトの開口部となる横長の孔を横一列に並べて構成した横向きの空気吹出口１６が台部１０の下端部の側面に付設されている。
さらに、台部１０の側面に第１フィルタ４２の交換用のフィルタ取出口１２およびその蓋１３並びに第２フィルタ４３の交換用のフィルタ取出口１４およびその蓋１５が形成されている。
【００１７】
以上の構成の商品棚１は、以下のような動作をする。
送風機４１から矢印４１ａ（図３参照）の方向に流れ、第１フィルタ４２を経て第１ダクト２３内を矢印２３ａ（図３参照）の方向に流れ、空気吹出口２５から吹き出た気流が、図１に示すように棚板３１、３２、３３上にそれぞれ陳列される商品５１、５２、５３（図１参照）の方向（矢印１７の方向）に吹出されるので、この商品５１、５２、５３および棚板３１、３２、３３に埃が付着しにくくなる。
さらに、空気吹出口２５から吹き出され棚板３１、３２、３３上の商品５１、５２、５３の陳列部位を越えて空気吸入口２６に吸入され、第２ダクト２４内を矢印２４ａ（図３参照）の方向に流れた気流を送風機４１が空気吹出口２５から吹き出すので、効率的に棚板３１、３２、３３上に陳列された商品５１、５２、５３に気流を吹き付けることができる。
さらに、送風機４１、第１ダクト２３、第２ダクト２４等を台部１０、第１側壁部２１、第２側壁部２２内に設けることができる。
【００１８】
さらに、空気吹出口２５から吹出されて空気吸入口２６に達する気流がコアンダ効果により棚板３２、３３もしくは天板３４の下面に沿って矢印１７の方向に流れるので、効率よく気流を棚板３１、３２、３３上に陳列された商品５１、５２、５３の方に流すことができる。
さらに、送風機４１により前記陳列された商品５１、５２、５３の匂い等の臭気および塵埃（商品５１、５２、５３から剥離した塵埃を含む。）を含んだ気流を空気吸入口２６から吸入して第１フィルタ４２および第２フィルタ４３により脱臭および除塵して再度空気吹出口２５から吹出すので、商品５１、５２、５３が臭気（例えば皮革の匂い）を発する場合においてもこの臭気が拡散しないようにすることができるとともに、商品棚１が配置されている店舗内の塵埃を少なくすることができる。
さらに、送風機４１から吹出され、マイナスイオン発生手段４４近傍を通過してマイナスイオンを含んだ気流が空気吹出口２５から吹出されるので、このマイナスイオンが商品棚１の付近にいる店員や客の血行等をよくし、これらの者の健康を増進することができる。
なお、台部１０の側面の最下部に形成された空気吹出口１６から気流を吹き出すことにより、商品棚１が配置されている床の清掃をすることができる。
【００１９】
なお、上記実施の形態において、棚板は３段に構成されているが、これに限定されず、棚板の段数を任意に設定することができる。
また、空気吹出口２５および空気吸入口２６は、図示された形状に限定されず、その形状は任意でよい。
【００２０】
【発明の効果】
請求項１記載の発明によれば、商品棚の棚板上に陳列される商品および棚板に埃が付着しにくくなるので、この商品の埃による汚れを少なくすることができる。
さらに、請求項２記載の発明によれば、請求項１記載の発明の効果とともに、効率的に前記棚板上に陳列された商品に気流を吹き付けることができるので、商品棚の棚板上に陳列される商品の埃による汚れを一層少なくすることができる。
さらに、請求項３記載の発明によれば、請求項２記載の発明の効果とともに、
前記棚板上に陳列された商品に気流を吹き付ける前記空気吹出口、送風手段、空気吸入口およびダクトの全てを棚板の支持部内に設けることができる。
さらに、請求項４記載の発明によれば、請求項２記載の発明の効果とともに、効率よく気流を棚板上に陳列された商品の方に流すことができるので、棚板上に陳列された商品の埃を効率よく除くことができる。
さらに、請求項５記載の発明によれば、請求項２記載の発明の効果とともに、商品棚に陳列された商品が臭気を発する場合においても、店員および客がこの臭気により不快な思いをすることを少なくすることができる。
さらに、請求項６記載の発明によれば、請求項２記載の発明の効果とともに、商品棚が配置された店舗内の空気を清浄にすることができる。特に、通常は複数の商品棚が店舗内に配置されるので、このときは店舗内の空気を一層清浄にすることができる。
さらに、請求項７記載の発明によれば、請求項１または２記載の発明の効果とともに、商品棚の付近にいる店員および客の健康増進に役立つことができる。
【図面の簡単な説明】
【図１】本発明の実施の形態に係る商品棚を示す斜視図である。
【図２】図１の商品棚の平面図である。
【図３】図１の商品棚の正面図である。
【図４】図３のＩＶ−ＩＶ断面を示す断面図である。
【図５】図２のＶ−Ｖ断面を拡大して示す断面図である。
【図６】
図２のＶＩ−ＶＩ断面を拡大して示す断面図である。
【符号の説明】
１  商品棚
１０  台部（支持部）
２１  第１側壁部（支持部）
２２  第２側壁部（支持部）
２３  第１ダクト
２４  第２ダクト
２５  空気吹出口
２６  空気吸入口
３１、３２、３３  棚板
３４  天板
４１  送風機（送風手段）
４２  第１フィルタ（脱臭手段、除塵手段）
４３  第２フィルタ（脱臭手段、除塵手段）
４４  マイナスイオン発生手段
５１、５２、５３  商品
【図１】
2005021343.tif 000003
【図２】
2005021343.tif 000004
【図３】
2005021343.tif 000005
【図４】
2005021343.tif 000006
【図５】
2005021343.tif 000007
【図６】
2005021343.tif 000008